【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
食品と混在し、かつ体内に入った際にも消化及び吸収されずに排出される食事型センサにて、
前記体内の所定の物質を検出するセンサ部と、
温度、水素イオン指数及び所定の酵素のうち、少なくとも１つに基づいて、前記センサ部が前記体内に入ったか否かを検知する検知部と、
前記検知部によって前記センサ部が前記体内に入ったと検知されたことに基づいて、前記センサ部によって検出された物質の情報を体外の通信装置に送信する送信部と、
を備えたことを特徴とする食事型センサ。
【請求項２】
食品と混在し、かつ体内に入った際にも消化及び吸収されずに排出される食事型センサにて、
前記体内の所定の物質を検出するセンサ部と、
前記センサ部が前記体内に入ったか否かを検知する検知部と、
前記検知部によって前記センサ部が前記体内に入ったと検知されたことに基づいて、前記センサ部によって検出された物質の情報を体外の通信装置に送信し、ユーザごとに対応付けられ、当該ユーザの通信端末と通信を行なう食器内に自センサが入れられたことを条件に、前記食器に対して自センサの識別子を送信して、前記食器を介して自センサの識別子を前記通信装置に登録させるユーザごとに対応付けられ、当該ユーザの通信端末と通信を行なう食器内に自センサが入れられたことを条件に、前記食器に対して自センサの識別子を送信して、前記食器を介して自センサの識別子を前記通信装置に登録させる送信部と、
を備えたことを特徴とする食事型センサ。
【請求項３】
前記送信部は、前記食器に内蔵された磁石から発生される磁力によって、前記食器に入れられた自センサの電源が入ることにより、前記食器に対して自センサの識別子を送信する請求項２記載の食事型センサ。
【請求項４】
前記食器に内蔵された磁石から発生される磁力によって、前記食器に入れられた自センサが前記食器に対して自センサの識別子を送信してから待機状態となり、前記検知部は、温度、水素イオン指数及び所定の酵素のうち、少なくとも１つに基づいて、前記センサ部が前記体内に入ったことを検知して電源が入る請求項２または請求項３記載の食事型センサ。
【請求項５】
前記検知部は、自センサが前記体内に入ったことを検知し、一定時間経過後に前記センサ部で計測される温度に応じて自センサが体に出たか否かを判定する請求項１〜４のいずれか１つに記載の食事型センサ。
【請求項６】
前記センサ部は、前記体内の所定の物質を所定の頻度で検出し、
前記送信部は、前記センサ部によって検出されるごとに、検出された物質の情報を前記体外の通信装置に送信することを特徴とする請求項１〜５のいずれか１つに記載の食事型センサ。
【請求項７】
前記センサ部は、前記体内に入った後の経過時間に応じて、前記所定の頻度を段階的に変化させて前記体内の所定の物質を検出することを特徴とする請求項６に記載の食事型センサ。
【請求項８】
前記センサ部は、前記体内に入った後、時間の経過に伴って頻度を段階的に低下させながら前記体内の所定の物質を検出することを特徴とする請求項７に記載の食事型センサ。
【請求項９】
１ミリメートル四方以下で形成されることを特徴とする請求項１〜８のいずれか１つに記載の食事型センサ。
【請求項１０】
前記体内での消化及び吸収に対して耐性を有する物質によって表面がコーティングされることを特徴とする請求項１〜９のいずれか１つに記載の食事型センサ。
【請求項１１】
前記食品が、生鮮食品、加工食品、調味料又は飲料であることを特徴とする請求項１〜１０のいずれか１つに記載の食事型センサ。
【請求項１２】
口腔内の所定の物質を検出するセンサ部と、
前記センサ部が前記口腔内に入ったか否かを検知する検知部と、
前記検知部によって前記センサ部が前記口腔内に入ったと検知されたことに基づいて、前記センサ部によって検出された物質の情報を口腔外の通信装置に送信する送信部と、
を備え、
前記口腔内に入れられる食器に設置されることを特徴とする食事型センサ。
【請求項１３】
食事の際に用いられる食事型センサによって実行されるセンシング方法であって、
温度、水素イオン指数及び所定の酵素のうち、少なくとも１つに基づいて、体内の所定の物質を検出するセンサ部が前記体内に入ったか否かを検知する検知工程と、
前記検知工程によって前記センサ部が前記体内に入ったと検知されたことに基づいて、前記センサ部によって検出された物質の情報を体外の通信装置に送信する送信工程と、
を含んだことを特徴とするセンシング方法。
【請求項１４】
食事の際に用いられる食事型センサによって実行されるセンシング方法であって、
温度、水素イオン指数及び所定の酵素のうち、少なくとも１つに基づいて、体内の所定の物質を検出するセンサ部が前記体内に入ったか否かを検知する検知工程と、
前記検知工程によって前記センサ部が前記体内に入ったと検知されたことに基づいて、前記センサ部によって検出された物質の情報を体外の通信装置に送信し、ユーザごとに対応付けられ、当該ユーザの通信端末と通信を行なう食器内に自センサが入れられたことを条件に、前記食器に対して自センサの識別子を送信して、前記食器を介して自センサの識別子を前記通信装置に登録させるユーザごとに対応付けられ、当該ユーザの通信端末と通信を行なう食器内に自センサが入れられたことを条件に、前記食器に対して自センサの識別子を送信して、前記食器を介して自センサの識別子を前記通信装置に登録させる送信工程と、
を含んだことを特徴とするセンシング方法。
【請求項１５】
食事の際に用いられる食事型センサによって実行されるセンシング方法であって、
口腔内の所定の物質を検出するセンサ部が前記口腔内に入ったか否かを検知する検知工程と、
前記検知工程によって前記センサ部が前記口腔内に入ったと検知されたことに基づいて、前記センサ部によって検出された物質の情報を口腔内の通信装置に送信する送信工程と、
を含んだことを特徴とするセンシング方法。
【手続補正２】
【補正対象書類名】明細書
【補正対象項目名】発明の名称
【補正方法】変更
【補正の内容】
【発明の名称】食事型センサ、及びセンシング方法
【手続補正３】
【補正対象書類名】明細書
【補正対象項目名】０００１
【補正方法】変更
【補正の内容】
【０００１】
本発明の実施形態は、食事型センサ、及びセンシング方法に関する。
【手続補正４】
【補正対象書類名】明細書
【補正対象項目名】０００６
【補正方法】変更
【補正の内容】
【０００６】
本発明は、上記に鑑みてなされたものであって、センサを意識しない非意識センシングを行い、個人の真のデータを効率的かつ継続的に収集することが可能な、食事型センサ、及びセンシング方法を提供することを課題とする。
【手続補正５】
【補正対象書類名】明細書
【補正対象項目名】０００７
【補正方法】変更
【補正の内容】
【０００７】
実施形態に係る食事型センサは、センサ部と、検知部と、送信部とを備え、食品と混在し、かつ体内に入った際にも消化及び吸収されずに排出される。センサ部は、前記体内の所定の物質を検出する。検知部は、温度、水素イオン指数及び所定の酵素のうち、少なくとも１つに基づいて、前記センサ部が前記体内に入ったか否かを検知する。送信部は、前記検知部によって前記センサ部が前記体内に入ったと検知されたことに基づいて、前記センサ部によって検出された物質の情報を体外の通信装置に送信する。